(57)【要約】【課題】  キビナゴなどの餌魚を容易に取り付けできるとともに、釣り針が折れるおそれのないテンヤ釣り用仕掛けの提供。【解決手段】錘本体と、該錘本体より後方に突出して設けられた餌刺し針と、該錘本体に設けられた道糸取付部およびハリス取付部とからなるテンヤ釣り用仕掛けであって、前記餌刺し針には錘本体側に向けて該餌刺し針の途中から分岐して突出する返し針が設けられていることを特徴とするテンヤ釣り用仕掛け。【選択図】  図１
2013085535.tif 000002
【特許請求の範囲】
【請求項１】
錘本体と、該錘本体より後方に突出して設けられた餌刺し針と、該錘本体に設けられた道糸取付部およびハリス取付部とからなるテンヤ釣り用仕掛けであって、前記餌刺し針には錘本体側に向けて該餌刺し針の途中から分岐して突出する返し針が設けられていることを特徴とするテンヤ釣り用仕掛け。  
【請求項２】
前記ハリス取付部は前記錘本体の餌刺し針が設けられた部分の後方に設けられ、前記道糸取付部は前記錘本体の餌刺し針が設けられた部分の前方に設けられていることを特徴とする請求項１に記載のテンヤ釣り用仕掛け。
【請求項３】
前記餌刺し針と前記道糸取付部と前記ハリス取付部とが、１本の同一素材から折り曲げ形成されていることを特徴とする請求項１または２に記載のテンヤ釣り用仕掛け。
【請求項４】
前記ハリス取付部にハリスを介して繋がれた針の根本部分には両端が開口する筒状に形成された管部が設けられており、当該管部の開口部に餌刺し針の先端部が挿入自在に形成されていることを特徴とする請求項１ないし３のいずれか１項に記載のテンヤ釣り用仕掛け。  
【請求項５】
前記ハリス取付部にハリスを介して繋がれた針には、フェザーが取り付けられていることを特徴とする請求項１ないし４のいずれか１項に記載のテンヤ釣り用仕掛け。  
【発明の詳細な説明】
【技術分野】
【０００１】
本発明は、主にキビナゴ等の小魚を餌として使用するテンヤ釣り用の仕掛けに関する。
【背景技術】
【０００２】
従来、錘と針が一体化したテンヤ釣り用の仕掛けは、エビなどを餌として使用するものが知られている。これらの仕掛けは、錘に釣り針を直接取りつけたタイプのもので、この釣り針にエビなどの餌を取り付けて使用する。
【０００３】
しかしながら、このタイプの仕掛けは、エビように釣り針の湾曲に沿って取り付けられる餌の場合は問題ないが、キビナゴのような小魚で釣り針の湾曲に沿って取り付けが困難な餌の場合、餌が外れたり、水中での挙動が不自然になるなどの問題が生じていた。また、釣り針が直接錘に取り付けられているため、魚がかかったときに、針と錘の接合部に負荷が集中して根本部分から針が折れたり、途中で針が曲がる可能性もあった。
【０００４】
そこで、特許文献１には、キビナゴのような小魚を餌として使用することができるテンヤが開示されている。しかしながら、このものは、餌魚の頭部を刺し針に刺した後、３つの挟み枠で固定するというものであり、取り付け作業が煩わしく、また、釣り針が直接錘に取り付けられているため、針が根本や途中で折れ曲がる可能性があった。
【特許文献１】実用新案登録第３１３９８８５号
【発明の開示】
【発明が解決しようとする課題】
【０００５】
そこで本発明は、キビナゴなどの餌魚を容易に取り付けできるとともに、釣り針が折れるおそれのないテンヤ釣り用仕掛けの提供をその課題とするものである。
【課題を解決するための手段】
【０００６】
本発明は、上記課題を解決するものであり、錘本体と、該錘本体より後方に突出して設けられた餌刺し針と、該錘本体に設けられた道糸取付部およびハリス取付部とからなるテンヤ釣り用仕掛けであって、前記餌刺し針には錘本体側に向けて該餌刺し針の途中から分岐して突出する返し針が設けられていることを特徴とするテンヤ釣り用仕掛けである。
【発明の効果】
【０００７】
本発明に係るテンヤ釣り用仕掛けは、返し針を備えた餌刺し針に餌魚を刺すだけで餌魚の取り付け作業が完了するため、餌の取り付けが簡易であり、また、釣り針は錘にハリスを介して間接的に繋がれているため、釣り針が折れるなどのおそれがない。
【０００８】
さらに、本発明に係るテンヤ釣り用仕掛けで、釣り針を餌刺し針に着脱自在に形成されているものは、釣り針の角度を適宜調整することができるため、根掛かりなどのおそれもない。
【図面の簡単な説明】
【０００９】
【図１】本発明のテンヤ釣り用仕掛けの側面図
【図２】本発明のテンヤ釣り用仕掛けの平面図
【図３】本発明のテンヤ釣り用仕掛けの内部の構造を表した図
【図４】本発明のテンヤ釣り用仕掛けの使用状況を表した図
【図５】本発明のテンヤ釣り用仕掛けの異なる態様の側面図
【発明を実施するための形態】
【００１０】
以下、本発明のテンヤ釣り用仕掛けの実施態様を、図面に基づいて具体的に説明する。なお、本発明はこれら実施態様に何ら制約されるものではない。
【００１１】
図１は本発明のテンヤ釣り用仕掛けの側面図、図２は同平面図、図３は本発明のテンヤ釣り用仕掛けの内部構造を表した図である。図中、１は錘本体、２は餌刺し針、３は返し針、４は道糸取付部、５はハリス取付部、６は針、７は針、８は糸、９は管部、１０はフェザー、１１は稜部、１２は稜面、１３は側部、１４は底部、２１は先端部、２２は返しをそれぞれ示す。
【００１２】
図に示すように、本発明に係るテンヤ釣り用仕掛けは、錘本体１と、かえし針３が形成された餌刺し針２、道糸取付部４、ハリス取付部５を備えている。そして、道糸取付部４には釣り竿に他端が繋がれた糸８（道糸）が取り付けられ、ハリス取付部５には２つの針６および針７が繋がれた糸８（ハリス）が取り付けられて使用される。
【００１３】
以下、各部について詳しく説明する。錘本体１は、側面視および平面視で略５角形に形成されており、前方に向けて平面視で略紡錘状に形成され、水中での水の抵抗を減らすことができる。かかる錘本体１の素材は通常の釣り用錘の素材を使用することができ、具体的には、鉛、タングステン、ステンレスなどから適宜選択することができる。
【００１４】
錘本体１の稜面１２の上部からは、餌刺し針２が斜め後上方に向けて突出して設けられている。かかる餌刺し針２は、直線状の針であり、その途中には餌刺し針２から分岐して、錘本体側に向けて突出する返し針３が設けられている。餌刺し針２の長さは、使用する餌魚の種類に応じて適宜決めることができるが、通常は５〜１０ｃｍの長さにすることが好ましく、特に、キビナゴを餌魚として使用する場合は７ｃｍ程度にすることが望ましい。また、返し針３は、餌刺し針２の先端部２１から返し針３の先端までの長さが３〜８ｃｍになるよう形成することが好ましく、餌刺し針２との分岐部分から返し針３の先端までの長さを２ｃｍ程度にすることが望ましい。かかる餌刺し針２と返し針３は、異なる素材で形成しても良いが、同一の素材とすることが好ましく、ステンレス等の素材を使用することができる。
【００１５】
錘本体１の稜面１２であって餌刺し針２が設けられている部分の後方には、ハリス取付部５が設けられている。また、餌刺し針２が設けられている部分の前方の錘本体１の稜部１１には、道糸取付部４が設けられている。このように、道糸取付部４およびハリス取付部５は、それぞれ、餌刺し針２が設けられた部分を挟んで前方と後方に設けられており、ともに糸を結びやすいように、逆Ｕ字形に突出するよう形成されている。かかる道糸取付部４、ハリス取付部５に関してもステンレス等の素材を使用することができる。さらに、餌刺し針２と道糸取付部４、およびハリス取付部５を、同一の素材から形成してもよく、具体的には、図３のように、１本のステンレス等の素材を折り曲げて、Ｕ字形に折り曲げ形成した部分を錘本体１から突出するようにして糸取付部４、５を形成し、さらに、その一端は道糸取付部４およびハリス取付部５の間から外部に突出して餌刺し針２を形成し、もう一方の端部には返し２２を折り曲げ形成してもよい。このように、餌刺し針２と道糸取付部４、ハリス取付部５を１本の同一素材で形成することで、それらの部分に抜く方向への負荷がかかっても抜けにくくなるため、好ましい。
【００１６】
図４は、本実施態様のテンヤ釣り用仕掛けの使用状況を表した図である。図に示すように、餌刺し針２にはキビナゴなどの餌魚が取り付けられており、さらに、その餌魚に対して針６および針７が仕掛けられている。餌魚の取り付け方法は、餌魚の頭部側（口部）から餌刺し針２の先端部２１へ刺してそのまま貫通するだけでよく、取り付け時には返し針３は障害にならないが、餌魚を抜く方向の動きに対しては返し針３が餌魚内で係合するため、簡単に外れることがない。この図のように、錘本体１が海底に着底した状態では錘本体１の底部１４が海底面に接するが、底部１４の奥行きは錘本体１に対して約２分の１程度に形成されているため、前後のバランスが不安定であり、よって、錘本体１が前後に揺動する。かかる揺動により、餌魚も上下に動き、あたかも生きている魚の自然な挙動を演出するため、効果的に魚を引きつけることができる。
【００１７】
本実施態様に係るテンヤ釣り用仕掛けを引き上げる際は、道糸取付部４に繋がれた糸８（道糸）により引き上げられるため、餌魚はほぼ水平か、あるいは尾の方がやや下に下がる格好となり、あたかも生きている魚の自然な挙動を演出するため、効果的に魚を引きつけることができる。さらに、水の抵抗を受けるため、錘本体１が左右の軸方向に細かくブレて動き、より自然な魚の動きに近くなる。そして、錘本体１の側部１３はほぼ平板に形成されているため、この面に光を反射するシール等を貼付することができ、より効果的に魚を引きつけることができる。
【００１８】
また、本実施態様に係るテンヤ釣り用仕掛けでは、餌魚に魚が食いつくと、針６および針７がかかる。そして、これらの針は糸８（ハリス）を介して錘本体１に繋がれているため、従来のように、針と錘の接合部で針が折れたり、針が途中で曲がるなどのおそれがない。
【００１９】
図５は、本発明に係るテンヤ釣り用仕掛けの異なる実施態様を表した図である。この実施態様では、ハリス取付部５に糸８を介して繋がれた針７の根本部分に管部９が設けられている。かかる管部９は両端が開口する筒状に形成されており、図５に示すように、針７が取り付けられた側とは反対側の開口部に餌刺し針２の先端部２１を挿入することで、餌刺し針２に取り付けることができる。この管部９は、浮きを固定するために一般に使用されるゴム管などを適宜使用することができる。さらに、針７にはフェザー１０が取り付けられている。この実施態様のテンヤ釣り用仕掛けの使用方法は、まず、前記の実施態様のテンヤ釣り用仕掛けと同様に、餌魚を餌刺し針２に取り付ける。このとき、餌刺し針２が完全に餌魚を貫通し、餌魚の後方から餌刺し針２の先端部２１が露出するようにする。次に、かかる餌刺し針２の先端部２１を管部９に挿入して針７をセットするとともに、針８は餌魚に直接取り付ける。
【００２０】
第２の実施態様のテンヤ釣り用仕掛けは、フェザー１０によってより効果的に魚を引きつけることができるとともに、管部９を軸方向に回転させることで、針７の向きを変えることができる。具体的には、図５のように、針７が上に向くようにセットすれば、針が根掛かりをおこすことを効果的に防ぐことができる。
【符号の説明】
【００２１】
１  …  …  錘本体
２  …  …  餌刺し針
３  …  …  返し針
４  …  …  道糸取付部
５  …  …  ハリス取付部
６  …  …  針
７  …  …  針
８  …  …  糸
９  …  …  管部
１０  …  …  フェザー
１１  …  …  稜部
１２  …  …  稜面
１３  …  …  側部
１４  …  …  底部
２１  …  …  先端部
２２  …  …  返し
【図１】
2013085535.tif 000003
【図２】
2013085535.tif 000004
【図３】
2013085535.tif 000005
【図４】
2013085535.tif 000006
【図５】
2013085535.tif 000007